【手続補正書】
【提出日】平成18年11月22日(2006.11.22)
【手続補正１】
【補正対象書類名】明細書
【補正対象項目名】特許請求の範囲
【補正方法】変更
【補正の内容】
【特許請求の範囲】
【請求項１】次式（Ｉ）：
【化１】
2000159764.tif 000001
〔式中、
ｎは１ないし４の整数を表わし、
Ｇ1，Ｇ2，Ｇ3及びＧ4は、互いに独立して、炭素原子数１ないし１８のアルキル基又は炭素原子数５ないし１２のシクロアルキル基を形成し、又は基Ｇ1とＧ2及び基Ｇ3とＧ4は、互いに独立して、それらが結合している炭素原子と一緒になって、炭素原子数５ないし１２のシクロアルキル基を形成し、
Ａ1は水素原子、炭素原子数１ないし１８のアルキル基、オキシル基、−ＯＨ基、−Ｃ
Ｈ2ＣＮ基、炭素原子数３ないし６のアルケニル基、炭素原子数３ないし８のアルキニル
基、非置換又は１，２若しくは３個の炭素原子数１ないし４のアルキル基若しくは炭素原子数１ないし４のアルコキシ基によりフェニル環が置換された炭素原子数７ないし１２のフェニルアルキル基；炭素原子数１ないし８のアシル基、炭素原子数１ないし１８のアルコキシ基、炭素原子数５ないし１２のシクロアルコキシ基、非置換又は１，２若しくは３個の炭素原子数１ないし４のアルキル基若しくは炭素原子数１ないし４のアルコキシ基によりフェニル環が置換された炭素原子数７ないし１２のフェニルアルコキシ基；炭素原子数１ないし１８のアルカノイルオキシ基、（炭素原子数１ないし１８のアルコキシ）カルボニル基、グリシジル基又は基−ＣＨ2ＣＨ（ＯＨ）（Ｇ）（式中、Ｇは水素原子、メチ
ル基又はフェニル基を表わす。）を表わし、
Ａ2は炭素原子数２ないし１４のアルキレン基又は基−ＣＡ2’（Ａ2”）−（式中、Ａ2’及びＡ2”は、互いに独立して、水素原子、炭素原子数１ないし１８のアルキル基又は
炭素原子数５ないし１２のシクロアルキル基を表わす。）を表わし、
Ａ3’及びＡ3”は、互いに独立して、水素原子、炭素原子数１ないし１８のアルキル基、酸素原子により中断された炭素原子数２ないし１８のアルキル基；又は炭素原子数５ないし１２のシクロアルキル基を表わし、Ａ４は水素原子、炭素原子数１ないし１８のアルキル基、炭素原子数２ないし１８のヒドロキシアルキル基、炭素原子数３ないし１８のアルケニル基、非置換又は１，２若しくは３個の炭素原子数１ないし４のアルキル基により置換された炭素原子数５ないし１２のシクロアルキル基；非置換又は１，２若しくは３個の炭素原子数１ないし４のアルキル基によりフェニル環が置換された炭素原子数７ないし１２のフェニルアルキル基；テトラヒドロフルフリル基、次式（ＩＩ）：
【化２】
2000159764.tif 000002
（式中、Ａ1，Ａ2，Ａ3’及びＡ3”は上記において定義されたものと同じ意味を表わす。）で表わされる基；又は炭素原子数１ないし８のアルコキシ基，ジ（炭素原子数１ないし４のアルキル）アミノ基又は次式（ＩＩＩ）：
【化３】
2000159764.tif 000003
（式中、Ｌは−Ｏ−基、−ＣＨ2−基、−ＣＨ2ＣＨ2−基又は＞Ｎ−ＣＨ3基を表わす。）で表わされる基により２，３若しくは４位が置換された炭素原子数２ないし４のアルキル基を表わし、
Ｙは−ＯＡ5基、−ＳＡ5基、−Ｎ（Ａ6）（Ａ7）基又は次式（ＩＶ）：
【化４】
2000159764.tif 000004
（式中、Ｒ1はＡ1に対して上記において与えられた定義のうちの一つを表わし、Ｒ2はＡ2に対して上記において与えられた定義のうちの一つを表わし、Ｒ3’及びＲ3”は、互いに独立して、Ａ3’及びＡ3”に対して上記において与えられた定義のうちの一つを表わし、そしてＲ４はＡ４に対して上記において与えられた定義のうちの一つを表わす。）で表わされる基を表わし、
Ａ5，Ａ6及びＡ7は、互いに独立して、水素原子、炭素原子数１ないし１８のアルキル
基、炭素原子数３ないし１８のアルケニル基、非置換又は１，２若しくは３個の炭素原子数１ないし４のアルキル基により置換された炭素原子数５ないし１２のシクロアルキル基；非置換又は１，２若しくは３個の炭素原子数１ないし４のアルキル基若しくは炭素原子数１ないし４のアルコキシ基により置換されたフェニル基；非置換又は１，２若しくは３個の炭素原子数１ないし４のアルキル基によりフェニル環が置換された炭素原子数７ないし１２のフェニルアルキル基；テトラヒドロフルフリル基又は炭素原子数１ないし８のア
ルコキシ基，ジ（炭素原子数１ないし４のアルキル）アミノ基又は式（ＩＩＩ）で表わされる基により２，３若しくは４位が置換された炭素原子数２ないし４のアルキル基を表わし、
そしてＡ5は更に式（ＩＩ）で表わされる基を表わし、
又は−Ｎ（Ａ6）（Ａ7）基は更に式（ＩＩＩ）で表わされる基を表わし、
ｎが１を表わす場合には、Ｚは−ＯＡ5基、−ＳＡ5基、−Ｎ（Ａ6）（Ａ7）基又は上記において定義された式（ＩＶ）で表わされる基を表わし、
ｎが２を表わす場合には、Ｚは次式（Ｖ）：
【化５】
2000159764.tif 000005
（式中、
Ａ8’及びＡ8”は、互いに独立して、水素原子、炭素原子数１ないし１８のアルキル基、炭素原子数３ないし１８のアルケニル基、非置換又は１，２若しくは３個の炭素原子数１ないし４のアルキル基により置換された炭素原子数５ないし１２のシクロアルキル基；非置換又は１，２若しくは３個の炭素原子数１ないし４のアルキル基によりフェニル環が置換された炭素原子数７ないし１２のフェニルアルキル基；テトラヒドロフルフリル基、式（ＩＩ）で表わされる基又は−ＯＨ基，炭素原子数１ないし８のアルコキシ基，ジ（炭素原子数１ないし４のアルキル）アミノ基又は式（ＩＩＩ）で表わされる基により２，３若しくは４位が置換された炭素原子数２ないし４のアルキル基を表わし、
Ａ9は炭素原子数２ないし１４のアルキレン基、酸素原子又は硫黄原子により中断され
た炭素原子数４ないし１４のアルキレン基；炭素原子数５ないし７のシクロアルキレン基、炭素原子数５ないし７のシクロアルキレンジ（炭素原子数１ないし４のアルキレン）基、炭素原子数１ないし４のアルキレンジ（炭素原子数５ないし７のシクロアルキレン）基又はフェニレンジ（炭素原子数１ないし４のアルキレン）基を表わす。）で表わされる基を表わし、
ｎが３を表わす場合には、Ｚは次式（ＶＩ）：
【化６】
2000159764.tif 000006
（式中、
Ａ10’及びＡ10”は、互いに独立して、Ａ8’及びＡ8”の定義のうちの一つを表わし、そして
Ａ11’及びＡ11”は、互いに独立して、Ａ9の定義のうちの一つを表わす。）で表わさ
れる基を表わし、
ｎが４を表わす場合には、Ｚは次式（ＶＩＩ）：
【化７】
2000159764.tif 000007
（式中、
Ａ12’及びＡ12”は、互いに独立して、Ａ8’及びＡ8”の定義のうちの一つを表わし、
そして
Ａ13’，Ａ13”及びＡ13”’は、互いに独立して、Ａ9の定義のうちの一つを表わす。
）で表わされる基を表わす。〕で表わされる化合物であって、
基Ａ1，基Ａ2，基Ａ3’，基Ａ3”，基Ａ4又は基Ｙは、互いに独立して、同一の意味又
は異なる意味を有し、そして式（Ｉ）で表わされる化合物中に存在する次式：
【化８】
2000159764.tif 000008
で表わされる繰り返し単位は同一又は異なるが、
但し、少なくとも一つの次式：
【化９】
2000159764.tif 000009
で表わされる基において、
Ａ4は水素原子と異なり、そして−（Ａ3’）Ｃ（Ａ3”）−はメチレン基と異なる化合
物。
【請求項２】 次式（Ｉ−１）：
【化１０】
2000159764.tif 000010
〔式中、Ａは次式：
【化１１】
2000159764.tif 000011
（式中、Ｇ1，Ｇ2，Ｇ3及びＧ4は、互いに独立して、炭素原子数１ないし１８のアルキル基又は炭素原子数５ないし１２のシクロアルキル基を表わし、又は基Ｇ1と基Ｇ2及び基Ｇ3と基Ｇ4は、互いに独立して、それらが結合している炭素原子と一緒になって、炭素原子数５ないし１２のシクロアルキル基を形成し、
Ａ1は炭素原子数１ないし１８のアルキル基、オキシル基、−ＯＨ基、−ＣＨ2ＣＮ基、炭素原子数３ないし６のアルケニル基、炭素原子数３ないし８のアルキニル基、非置換又は１，２若しくは３個の炭素原子数１ないし４のアルキル基若しくは炭素原子数１ないし４のアルコキシ基によりフェニル環が置換された炭素原子数７ないし１２のフェニルアルキル基；炭素原子数１ないし８のアシル基、炭素原子数１ないし１８のアルコキシ基、炭素原子数５ないし１２のシクロアルコキシ基、非置換又は１，２若しくは３個の炭素原子数１ないし４のアルキル基若しくは炭素原子数１ないし４のアルコキシ基によりフェニル環が置換された炭素原子数７ないし１５のフェニルアルコキシ基；炭素原子数１ないし１８のアルカノイルオキシ基、（炭素原子数１ないし１８のアルコキシ）カルボニル基、グリシジル基又は基−ＣＨ2ＣＨ（ＯＨ）（Ｇ）（式中、Ｇは水素原子、メチル基又はフェ
ニル基を表わす。）を表わし、
Ａ2は炭素原子数２ないし１４のアルキレン基又は基−ＣＨ2−を表わし、
Ａ3’及びＡ3”は、互いに独立して、炭素原子数１ないし１８のアルキル基を表わし、
Ａ12’及びＡ12”は、互いに独立して、水素原子又は炭素原子数１ないし４のアルキル基を表わし、
Ａ13’，Ａ13”及びＡ13”’は、互いに独立して、炭素原子数２ないし１４のアルキレン基を表わし、そして
基Ｇ1，基Ｇ2，基Ｇ3，基Ｇ4，基Ａ1，基Ａ2，基Ａ3’又は基Ａ3”は、互いに独立して、同一又は異なる。）で表わされる基を表わす。〕で表わされる化合物。
【請求項３】 次式（Ｉ−２）：
【化１２】
2000159764.tif 000012
〔式中、Ａ’は次式：
【化１３】
2000159764.tif 000013
（式中、Ｇ1，Ｇ2，Ｇ3及びＧ4は、互いに独立して、炭素原子数１ないし１８のアルキル基又は炭素原子数５ないし１２のシクロアルキル基を表わし、又は基Ｇ1と基Ｇ2及び基Ｇ3と基Ｇ4は、互いに独立して、それらが結合している炭素原子と一緒になって、炭素原子数５ないし１２のシクロアルキル基を形成し、
Ａ1は水素原子、炭素原子数１ないし１８のアルキル基、オキシル基、−ＯＨ基、−Ｃ
Ｈ2ＣＮ基、炭素原子数３ないし６のアルケニル基、炭素原子数３ないし８のアルキニル
基、非置換又は１，２若しくは３個の炭素原子数１ないし４のアルキル基若しくは炭素原子数１ないし４のアルコキシ基によりフェニル環が置換された炭素原子数７ないし１２のフェニルアルキル基；炭素原子数１ないし８のアシル基、炭素原子数１ないし１８のアルコキシ基、炭素原子数５ないし１２のシクロアルコキシ基、非置換又は１，２若しくは３個の炭素原子数１ないし４のアルキル基若しくは炭素原子数１ないし４のアルコキシ基によりフェニル環が置換された炭素原子数７ないし１５のフェニルアルコキシ基；炭素原子数１ないし１８のアルカノイルオキシ基、（炭素原子数１ないし１８のアルコキシ）カルボニル基、グリシジル基又は基−ＣＨ2ＣＨ（ＯＨ）（Ｇ）（式中、Ｇは水素原子、メチ
ル基又はフェニル基を表わす。）を表わし、
Ａ2は炭素原子数２ないし１４のアルキレン基又は基−ＣＨ2−を表わし、
Ａ4は炭素原子数１ないし１８のアルキル基又は炭素原子数２ないし１８のヒドロキシ
アルキル基を表わし、
Ａ12’及びＡ12”は、互いに独立して、水素原子又は炭素原子数１ないし４のアルキル基を表わし、
Ａ13’，Ａ13”及びＡ13”’は、互いに独立して、炭素原子数２ないし１４のアルキレン基を表わし、そして
基Ｇ1，基Ｇ2，基Ｇ3，基Ｇ4，基Ａ1，基Ａ2又は基Ａ4は、互いに独立して、同一又は
異なる。）で表わされる基を表わす。〕で表わされる化合物。
【請求項４】次式（Ｉ−３）：
【化１４】
2000159764.tif 000014
〔式中、Ａ”は次式：
【化１５】
2000159764.tif 000015
（式中、Ｇ1，Ｇ2，Ｇ3及びＧ4は、互いに独立して、炭素原子数１ないし１８のアルキル基又は炭素原子数５ないし１２のシクロアルキル基を表わし、又は基Ｇ1と基Ｇ2及び基Ｇ3と基Ｇ4は、互いに独立して、それらが結合している炭素原子と一緒になって、炭素原子数５ないし１２のシクロアルキル基を形成し、
Ａ1は水素原子、炭素原子数１ないし１８のアルキル基、オキシル基、−ＯＨ基、−Ｃ
Ｈ2ＣＮ基、炭素原子数３ないし６のアルケニル基、炭素原子数３ないし８のアルキニル
基、非置換又は１，２若しくは３個の炭素原子数１ないし４のアルキル基若しくは炭素原子数１ないし４のアルコキシ基によりフェニル環が置換された炭素原子数７ないし１２のフェニルアルキル基；炭素原子数１ないし８のアシル基、炭素原子数１ないし１８のアルコキシ基、炭素原子数５ないし１２のシクロアルコキシ基、非置換又は１，２若しくは３個の炭素原子数１ないし４のアルキル基若しくは炭素原子数１ないし４のアルコキシ基によりフェニル環が置換された炭素原子数７ないし１５のフェニルアルコキシ基；炭素原子数１ないし１８のアルカノイルオキシ基、（炭素原子数１ないし１８のアルコキシ）カルボニル基、グリシジル基又は基−ＣＨ2ＣＨ（ＯＨ）（Ｇ）（式中、Ｇは水素原子、メチ
ル基又はフェニル基を表わす。）を表わし、
Ａ2は炭素原子数２ないし１４のアルキレン基又は基−ＣＨ2−を表わし、Ａ3’及びＡ3”は、互いに独立して、炭素原子数１ないし１８のアルキル基を表わし、
Ｙは−Ｎ（炭素原子数１ないし１８のアルキル）2基を表わし、
Ａ12’及びＡ12”は、互いに独立して、水素原子又は炭素原子数１ないし４のアルキル基を表わし、
Ａ13’，Ａ13”及びＡ13”’は、互いに独立して、炭素原子数２ないし１４のアルキレン基を表わし、そして
基Ｇ1，基Ｇ2，基Ｇ3，基Ｇ4，基Ａ1，基Ａ2，基Ａ3’，基Ａ3”又は基Ｙは、互いに独立して、同一又は異なる）で表わされる基を表わす。〕で表わされる化合物。
【請求項５】光，熱又は酸化により誘起される分解を受け易い有機材料、及び少なくとも
一種の請求項１，２，３又は４記載の式（Ｉ）で表わされる化合物を含む組成物。
【請求項６】ポリカーボネート・ブレンド又はポリアセタール、及び少なくとも一種の請求項１記載の式（Ｉ）で表わされる化合物〔式（Ｉ）の但し書きは適用されない。〕を含む組成物。
【請求項７】少なくとも一種の請求項１記載の式（Ｉ）で表わされる化合物〔式（Ｉ）の但し書きは適用されない。〕を含む粉体塗料。
【請求項８】少なくとも一種の請求項１記載の式（Ｉ）で表わされる化合物〔式（Ｉ）の但し書きは適用されない。〕を含む記録材料。
【請求項９】ポリオレフィン又はポリオレフィン・コポリマー、及び少なくとも一種の請求項１記載の式（Ｉ）で表わされる化合物〔式（Ｉ）の但し書きは適用されない。〕を含む、殺有害生物剤と接触している組成物。
【請求項１０】次式（Ｚ）：
【化１６】
2000159764.tif 000016
〔式中、
Ｇ1，Ｇ2，Ｇ3及びＧ4は、互いに独立して、炭素原子数１ないし１８のアルキル基又は炭素原子数５ないし１２のシクロアルキル基を表わし、又は基Ｇ1とＧ2及び基Ｇ3とＧ4は、互いに独立して、それらが結合している炭素原子と一緒になって、炭素原子数５ないし１２のシクロアルキル基を形成し、
Ａ1は水素原子、炭素原子数１ないし１８のアルキル基、オキシル基、−ＯＨ基、−Ｃ
Ｈ2ＣＮ基、炭素原子数３ないし６のアルケニル基、炭素原子数３ないし８のアルキニル
基、非置換又は１，２若しくは３個の炭素原子数１ないし４のアルキル基若しくは炭素原子数１ないし４のアルコキシ基によりフェニル環が置換された炭素原子数７ないし１２のフェニルアルキル基；炭素原子数１ないし８のアシル基、炭素原子数１ないし１８のアルコキシ基、炭素原子数５ないし１２のシクロアルコキシ基、非置換又は１，２若しくは３個の炭素原子数１ないし４のアルキル基若しくは炭素原子数１ないし４のアルコキシ基によりフェニル環が置換された炭素原子数７ないし１２のフェニルアルコキシ基；炭素原子数１ないし１８のアルカノイルオキシ基、（炭素原子数１ないし１８のアルコキシ）カルボニル基、グリシジル基又は基−ＣＨ2ＣＨ（ＯＨ）（Ｇ）（式中、Ｇは水素原子、メチ
ル基又はフェニル基を表わす。）を表わし、
Ａ2は炭素原子数２ないし１４のアルキレン基又は基−ＣＡ2’（Ａ2”）−（式中、Ａ2’及びＡ2”は、互いに独立して、水素原子、炭素原子数１ないし１８のアルキル基又は
炭素原子数５ないし１２のシクロアルキル基を表わす。）を表わし、
Ａ3’及びＡ3”は、互いに独立して、炭素原子数１ないし１８のアルキル基、酸素原子により中断された炭素原子数２ないし１８のアルキル基；又は炭素原子数５ないし１２のシクロアルキル基を表わし、そしてＡ3 ’は更に水素原子を表わし、
Ａ4は炭素原子数１ないし１８のアルキル基、炭素原子数２ないし１８のヒドロキシア
ルキル基、炭素原子数３ないし１８のアルケニル基、非置換又は１，２若しくは３個の炭素原子数１ないし４のアルキル基により置換された炭素原子数５ないし１２のシクロアルキル基；非置換又は１，２若しくは３個の炭素原子数１ないし４のアルキル基によりフェニル環が置換された炭素原子数７ないし１２のフェニルアルキル基；テトラヒドロフルフリル基、次式（ＩＩ）：
【化１７】
2000159764.tif 000017
で表わされる基、又は炭素原子数１ないし８のアルコキシ基，ジ（炭素原子数１ないし４のアルキル）アミノ基又は次式（ＩＩＩ）：
【化１８】
2000159764.tif 000018
（式中、Ｌは−Ｏ−基、−ＣＨ2−基、−ＣＨ2ＣＨ2−基又は＞Ｎ−ＣＨ3基を表わす。）で表わされる基により２，３若しくは４位が置換された炭素原子数２ないし４のアルキル基を表わす。〕で表わされる化合物。
【請求項１１】次式（Ｐ−１）：
【化１９】
2000159764.tif 000019
〔式中、
Ｇ1，Ｇ2，Ｇ3及びＧ4は、互いに独立して、炭素原子数１ないし１８のアルキル基又は炭素原子数５ないし１２のシクロアルキル基を表わし、又は基Ｇ1とＧ2及び基Ｇ3とＧ4は、互いに独立して、それらが結合している炭素原子と一緒になって、炭素原子数５ないし１２のシクロアルキル基を形成し、
基Ａ1は、互いに独立して、水素原子、炭素原子数１ないし１８のアルキル基、オキシ
ル基、−ＯＨ基、−ＣＨ2ＣＮ基、炭素原子数３ないし６のアルケニル基、炭素原子数３
ないし８のアルキニル基、非置換又は１，２若しくは３個の炭素原子数１ないし４のアルキル基若しくは炭素原子数１ないし４のアルコキシ基によりフェニル環が置換された炭素原子数７ないし１２のフェニルアルキル基；炭素原子数１ないし８のアシル基、炭素原子数１ないし１８のアルコキシ基、炭素原子数５ないし１２のシクロアルコキシ基、非置換又は１，２若しくは３個の炭素原子数１ないし４のアルキル基若しくは炭素原子数１ないし４のアルコキシ基によりフェニル環が置換された炭素原子数７ないし１２のフェニルアルコキシ基；炭素原子数１ないし１８のアルカノイルオキシ基、（炭素原子数１ないし１８のアルコキシ）カルボニル基、グリシジル基又は基−ＣＨ2ＣＨ（ＯＨ）（Ｇ）（式中
、Ｇは水素原子、メチル基又はフェニル基を表わす。）を表わし、そして
Ｑ1は炭素原子数１ないし２０のアルキレン基、炭素原子数４ないし２０のアルケニレ
ン基、炭素原子数４ないし２０のアルキニレン基又は次式−Ｑ2−Ｒ−Ｑ2−（Ｒ−Ｑ2）v−：（式中、ｖは０又は１を表わし、
基Ｑ2は、互いに独立して、直接結合又は炭素原子数１ないし１０のアルキレン基を表
わし、
基Ｒは、互いに独立して、二つの遊離原子価，５ないし７個の炭素原子を有し、そして所望により、炭素原子数１ないし４のアルキル基で置換された飽和又は不飽和の単環式炭化水素環；又は二つの遊離原子価，８ないし１０個の炭素原子を有し、そして所望により、炭素原子数１ないし４のアルキル基で置換された飽和又は不飽和の二環式炭化水素環を表わす。）で表わされる基を表わす。〕で表わされる少なくとも一種の化合物を含む記録材料。
【請求項１２】次式（Ｐ−２）：
【化２０】
2000159764.tif 000020
〔式中、
Ｇ1，Ｇ2，Ｇ3及びＧ4は、互いに独立して、炭素原子数１ないし１８のアルキル基又は炭素原子数５ないし１２のシクロアルキル基を表わし、又は基Ｇ1とＧ2及び基Ｇ3とＧ4は、互いに独立して、それらが結合している炭素原子と一緒になって、炭素原子数５ないし１２のシクロアルキル基を形成し、
基Ａ1は、互いに独立して、水素原子、炭素原子数１ないし１８のアルキル基、オキシ
ル基、−ＯＨ基、−ＣＨ2ＣＮ基、炭素原子数３ないし６のアルケニル基、炭素原子数３
ないし８のアルキニル基、非置換又は１，２若しくは３個の炭素原子数１ないし４のアルキル基若しくは炭素原子数１ないし４のアルコキシ基によりフェニル環が置換された炭素原子数７ないし１２のフェニルアルキル基；炭素原子数１ないし８のアシル基、炭素原子数１ないし１８のアルコキシ基、炭素原子数５ないし１２のシクロアルコキシ基、非置換又は１，２若しくは３個の炭素原子数１ないし４のアルキル基若しくは炭素原子数１ないし４のアルコキシ基によりフェニル環が置換された炭素原子数７ないし１２のフェニルアルコキシ基；炭素原子数１ないし１８のアルカノイルオキシ基、（炭素原子数１ないし１８のアルコキシ）カルボニル基、グリシジル基又は基−ＣＨ2ＣＨ（ＯＨ）（Ｇ）（式中
、Ｇは水素原子、メチル基又はフェニル基を表わす。）を表わし、そして
Ｑ1★ は炭素原子数８ないし２０のアルキレン基、炭素原子数４ないし２０のアルケニレン基、炭素原子数４ないし２０のアルキニレン基又は次式−Ｑ2−Ｒ−Ｑ2−（Ｒ−Ｑ2
）v−：
（式中、ｖは０又は１を表わし、
基Ｑ2は、互いに独立して、直接結合又は炭素原子数１ないし１０のアルキレン基を表
わし、
基Ｒは、互いに独立して、二つの遊離原子価，５ないし７個の炭素原子を有し、そして所望により、炭素原子数１ないし４のアルキル基で置換された飽和又は不飽和の単環式炭化水素環；又は二つの遊離原子価，８ないし１０個の炭素原子を有し、そして所望により、炭素原子数１ないし４のアルキル基で置換された飽和又は不飽和の二環式炭化水素環を表わす。）で表わされる基を表わすが、但し、Ｑ1★はシクロヘキシレン基、フェニレン
基及びメチレン−フェニレン−メチレン基と異なる。〕で表わされる化合物。